(57)【要約】【課題】クリーンルーム内で動作する閉鎖ヘッドを有する、容器のための閉鎖装置であって、動作する質量が少なく、製造費用のあまり掛からない閉鎖装置を提供すること。【解決手段】本発明による容器容器（２）のための閉鎖装置（１）、特に、ボトルのための閉鎖装置（１）は、クリーンルーム（３）内で動作する閉鎖ヘッド（４）と、少なくとも１つの回転子（６）および少なくとも１つの固定子（７）を備える電気モータ（５）とを有し、閉鎖ヘッド（４）が、回転子（６）と連結されており、クリーンルーム仕切り要素（９、９ａ、９ｃ、９ｄ）が、回転子（６）と固定子（７）との間に形成されていることを特徴とする。【選択図】  図１
2013256333.tif 000002
【特許請求の範囲】
【請求項１】
容器（２）のための閉鎖装置（１）、特に、ボトルのための閉鎖装置（１）であって、クリーンルーム（３）内で動作する閉鎖ヘッド（４）と、少なくとも１つの回転子（６）および少なくとも１つの固定子（７）を備える電気モータ（５）とを有する閉鎖装置（１）において、
前記閉鎖ヘッド（４）が、前記回転子（６）と連結されており、クリームルームを仕切るためのクリーンルーム仕切り要素（９、９ａ、９ｃ、９ｄ）が、前記回転子（６）と前記固定子（７）との間に形成されていることを特徴とする、容器のための閉鎖装置。
【請求項２】
前記固定子（７）が、上下動用磁界および／または回転用磁界を生成するために形成されている、請求項１に記載の容器のための閉鎖装置。
【請求項３】
上下動用磁界を生成するための第１の固定子（７ａ）と、回転用磁界を生成するための第２の固定子（７ｂ）とが形成されている、請求項１に記載の容器のための閉鎖装置。
【請求項４】
前記クリーンルーム仕切り要素（９、９ａ、９ｃ、９ｄ）が、非磁性材料から作製されている、請求項１〜３のいずれか一項に記載の容器のための閉鎖装置。
【請求項５】
前記回転子（６）が、前記固定子（７）および軸線（Ａ）に対して、回転し、および／または、変位可能であるように配置されている、請求項１〜４のいずれか一項に記載の容器のための閉鎖装置。
【請求項６】
前記回転子（６）が、複数の永久磁石（８）を備え、該複数の永久磁石（８）が、特に、周方向において変化する極性を有する、請求項１〜５のいずれか一項に記載の容器のための閉鎖装置。
【請求項７】
前記回転子（６）が、複数のコイル部材を備え、該コイル部材が、特に、短絡されている、請求項１〜５のいずれか一項に記載の容器のための閉鎖装置。
【請求項８】
前記電気モータ（５）が、サーボモータとして形成されている、請求項１〜７のいずれか一項に記載の容器のための閉鎖装置。
【請求項９】
前記回転子（６）の角度検出および／または位置検出のための少なくとも１つのセンサ（１２）が、前記電気モータ（５）と関連付けられている、請求項１〜８のいずれか一項に記載の容器のための閉鎖装置。
【請求項１０】
前記センサ（１２）が、前記回転子（６）と連結された内部部品（１３）と、前記固定子（７）と連結された外部部品（１４）とを備え、第２のクリーンルーム仕切り要素（９ｂ）が、前記内部部品（１３）と前記外部部品（１４）との間に配置されている、請求項９に記載の容器のための閉鎖装置。
【発明の詳細な説明】
【技術分野】
【０００１】
本発明は、クリーンルーム内で動作する閉鎖ヘッドと、少なくとも１つの回転子および少なくとも１つの固定子を備える電気モータとを有する、容器のための閉鎖装置（ｃｌｏｓｅｒ）、特に、ボトルのための閉鎖装置に関する。
【背景技術】
【０００２】
周知のように、容器、例えば、ボトルのスクリューキャップ（ねじ式蓋）は、共通の軸を中心に回転する複数の閉鎖装置が周囲に配置された回転機械において閉鎖することができ、この場合、閉鎖キャップは、それぞれ、閉鎖ヘッドにおいて保持され、回転され、各ボトル口部上に配置された後は、ねじピッチに従って下降される。代わりとして、容器は、閉鎖キャップがねじ付けられるときに、それ相応に持ち上げられてもよい。閉鎖ヘッドの回転運動は、この場合、電気モータによって与えられ、下降運動は、制御カムまたはリニアモータのいずれかによって与えられる。
【０００３】
多くの応用において、容器は、一方では、保存、低温殺菌などのための手段（ａｇｅｎｔ）を保護するために、他方では、特に細菌に弱い製品を容器に充填することができるようにするために、充填ラインおよびクリーンルーム内の閉鎖装置に案内される。さらに、容器および該容器に充填される製品を、このようなクリーンルームにおいて、駆動部材の漏出物から保護することができる。クリーンルーム内の細菌および塵芥の量をさらに減少させるために、可能な限り多くの、閉鎖装置の構成部品が、クリーンルームの外部に配置される。
【０００４】
この目的のために、欧州特許出願公開第２２２１２７２号明細書は、非接触のトルク生成によって容器を閉鎖するための装置について開示している。ここでは、複数の閉鎖装置を有する回転機械が開示されており、この場合、クリーンルームの外部に配置されたモータの各トルクは、磁気結合器（ｍａｇｎｅｔｉｃ  ｃｏｕｐｌｉｎｇ）によって、クリーンルーム内の閉鎖ヘッドへ非接触的に伝達される。閉鎖ヘッドの上下運動（ｌｉｆｔｉｎｇ  ｍｏｔｉｏｎ）は、ここでは、クリーンルーム内の制御カムによって行われる。
【０００５】
同様に、国際公開第２０１０／１１８８０６号パンフレットは、スクリューキャップまたは閉鎖具（ｃｌｏｓｕｒｅ）のための閉鎖装置について開示しており、ここでは、駆動部は、磁気結合器によって、閉鎖ヘッドから気密分離されている。
【０００６】
このことには、このような磁気結合器がそれ相応のコスト要素を伴う点、および、磁気結合器は、必要な力を伝達するために、それ相応の大きさの寸法に形成されなければならず、この結果、移動される質量体が、駆動システムに悪影響を与える点で、不都合である。
【発明の概要】
【発明が解決しようとする課題】
【０００７】
本発明の目的は、クリーンルーム内で動作する閉鎖ヘッドを有する、容器のための閉鎖装置であって、移動する質量体が少なく、製造費用のあまり掛からない閉鎖装置を提供することである。本発明の別の目的は、クリーンルーム内への塵芥および／または細菌の侵入を軽減する、容器のための閉鎖装置を提供することである。
【課題を解決するための手段】
【０００８】
本発明は、閉鎖ヘッドが回転子と連結され、クリーンルームの仕切りのための要素（クリームルーム仕切り要素）が回転子と固定子との間に形成されているという特徴部の構成と共に、請求項１の前文の構成を有する、容器のための閉鎖装置によって、上記の目的を達成する。
【０００９】
閉鎖ヘッドが、電気モータの回転子と連結されていることによって、閉鎖装置の設計に応じた力が、固定子の磁界から回転子に直接作用し、この結果、閉鎖ヘッドに伝達され得る。このように、力は、費用の掛かる、寸法の大きな磁気結合器によって伝達される必要がなく、また、これにより、移動する質量体が減少される。同時に、クリーンルームを仕切るために固定子と回転子との間に形成された要素は、クリーンルーム内への塵芥および細菌の侵入を防止する。ここでは、磁界は、クリーンルーム仕切り要素を介して、回転子に作用する。言い換えれば、クリーンルームは、固定子と回転子との間に配置された要素によって、周辺領域から気密的に仕切られており、したがって、クリーンルームと周辺領域との間の仕切りは、電気モータの内側に配置される。さらに、この方法によりクリーンルームの封止が得られ、この結果、さらに、シャフト封止リングまたはサイフォン封止などの封止装置を略すことができる。
【００１０】
容器は、特に、プラスチックボトル、ガラスボトル、缶、および／または管を含んでもよい。容器は、飲料、食品、衛生製品、ペースト、化学製品、生物学製品、および／または医薬品等を含むものとすることができる。閉鎖装置は、特に、カラー（ｃｏｌｌａｒ）を有するＰＥＴボトルを閉鎖するのに適しており、このカラーにおいて、ＰＥＴボトルは、少なくとも充填および閉鎖中は支えられるように保持される。このことは、特に、充填される、微生物学的な影響を受けやすい製品が、冷却無菌（ｃｏｌｄ−ａｓｅｐｔｉｃ）充填ラインにおいて充填される場合のことである。容器は、閉鎖キャップをねじ付けるためのボトル口部を備えてもよい。例えば、スナップ方式の閉鎖具または王冠などの他の閉鎖具も考えられる。
【００１１】
容器は、クリーンルーム内の閉鎖装置において処理され得る。クリーンルームは、細菌または埃の粒子が減らされた領域であり得る。クリーンルームは、周辺領域に対して過剰な圧力を有する場合がある。
【００１２】
電気モータは、開ループまたは閉ループのモータ制御器と接続されてもよい。電気モータは、ブラシレス直流または三相のモータであってもよい。回転子は、電気モータの電機子および／またはリニアモータの回転子であってもよい。固定子は、回転子を囲む複数の電磁石の構成であってもよい。複数の電磁石は、それぞれ、特に強磁性コアの周囲に巻き付けられたコイルであってもよい。固定子は、縦方向において、回転子よりも長くてもよい。
【００１３】
容器用の本閉鎖装置において、固定子は、上下動用磁界および／または回転用磁界（ａ  ｌｉｆｔｉｎｇ  ａｎｄ／ｏｒ  ａ  ｒｏｔａｒｙ  ｍａｇｎｅｔｉｃ  ｆｉｅｌｄ）を生成するよう形成され得る。これにより、軸線を中心に回転子を回転させる回転力、および、この軸線に沿って回転子を変位させる直線力の双方が、磁界によって回転子に加えられ得る。上下動用磁界が意味しているのは、磁界が、該磁界によって回転子が上昇および下降するように制御され得るということである。回転用磁界が意味しているのは、磁界が、回転子が軸線の周囲を両回転方向のいずれかの方向に回転するように制御され得るということである。また、軸線に関する、回転子の回転運動および直線運動は、同時に行われてもよい。
【００１４】
容器用の本閉鎖装置において、上下動用磁界を生成するための第１の固定子、および、回転用磁界を生成するための第２の固定子が、形成されてもよい。これにより、固定子のより単純な設計、および、より単純な制御が実現され得る。この場合、一方の固定子が回転子の内側に配置され、他方の固定子が回転子の外側に配置されてもよい。
【００１５】
容器用の本閉鎖装置において、クリーンルーム仕切り要素は、非磁性材料から作製されてもよい。これにより、固定子の磁界が受ける、クリーンルーム仕切り要素の影響は、可能な限り小さくなる。例えば、クリーンルーム仕切り要素は、プラスチック、チタニウム、アルミニウム、オーステナイト鋼、または複合繊維材料からなるとよい。クリーンルーム仕切り要素は、円筒形であってもよい。同様に、クリーンルーム仕切り要素は、特に、複数の固定子および／または複数の回転子が使用される場合、互い違いに挿置された複数の円筒部材からなっていてもよい。
【００１６】
容器用の本閉鎖装置において、回転子は、固定子および軸線に対して、回転し、および／または、変位可能であるように、配置構成されてもよい。このようにして、回転子は、直線運動および回転運動を行うことができる。回転子は、特に閉鎖ヘッドと連結された軸部材と連結されてもよい。回転子および／または軸部材は、軸受において保持されてもよい。これにより、回転子の正確な運動が実現され得る。
【００１７】
容器用の本閉鎖装置において、回転子は、複数の永久磁石を備えてもよく、該複数の永久磁石は、特に、周方向において変化する極性を有する。これにより、固定子の磁界は、回転子に対する力を発生させる。
【００１８】
容器用の本閉鎖装置において、回転子は、複数のコイル部材を備えてもよく、該コイル部材は特に短絡される。この場合、固定子の磁界は、回転子のコイル部材に電流を誘導する。次に、コイル部材の電流は、固定子の磁界と共に回転子に対して力を加える回転子の磁界を生成する。
【００１９】
容器用の本閉鎖装置において、電気モータは、サーボモータとして形成されてもよい。ここでサーボモータが意味しているのは、電気モータが、特に、回転子の加速度、速度、トルク、および／または位置が制御され得るように、制御システムと協働することである。制御システムは、回転子の回転運動および／または直線運動を制御することができる。これにより、回転子、したがって、閉鎖ヘッドのより正確な運動が行われ得る。
【００２０】
容器用の本閉鎖装置において、回転子の角度および／または位置を検出するための少なくとも１つのセンサが、電気モータと関連付けられてもよい。これにより、回転子の正確な位置および回転が検出され得る。センサは、位置信号および／または角度信号を制御システムに送信してもよい。センサは、インクリメンタルエンコーダおよび／またはアブソリュートエンコーダであってもよい。センサは、回転子の位置および／または角度の変化に応じたパルスを出してもよい。センサは、磁気走査と連動してもよい。
【００２１】
容器用の本閉鎖装置において、センサは、回転子と連結された内部部品、および、固定子と連結された外部部品を備えてもよく、内部部品と外部部品との間には、第２のクリーンルーム仕切り要素が配置される。内部部品は、複数の磁性走査部材を備えてもよい。外部部品は、磁界に関する少なくとも１つのセンサ素子を備えてもよい。センサ素子は、ホールセンサであってもよい。
【００２２】
以下、本発明のさらなる特徴および利点を、図面に示されている実施形態を参照しつつ説明する。
【図面の簡単な説明】
【００２３】
【図１】閉鎖装置の横断面図を示している。
【図２】回転子の位置検出のための付加的なセンサを有する、図１に示されている閉鎖装置の横断面図を示している。
【図３】２つの固定子を有する閉鎖装置の横断面図を示している。
【発明を実施するための形態】
【００２４】
図１は、閉鎖装置１の横断面図を示している。ここでは、電気モータ５が、軸部材１１を介して閉鎖ヘッド４を動かす。閉鎖ヘッド４は、最初、閉鎖キャップ１０を持ち上げ、下降回転運動によって、この閉鎖キャップ１０を容器２の容器口部２ａにねじ付ける。ここで示されている容器２は、ボトルである。
【００２５】
電気モータ５は、ここでは、三相モータとして具現化されており、また、固定子７および回転子６を備え、固定子７と回転子６との間には、クリーンルーム仕切り要素９が形成されている。このクリーンルーム仕切り要素９は、非磁性プラスチックのハウジング状シェル（殻）として形成されており、軸線Ａを中心に回転対称な、片側が閉じられた円筒の形状を有する。このように、クリーンルーム仕切り要素９によって、クリーンルーム３は、周辺領域１７から、気密的に仕切られている。したがって、駆動ユニットからの潤滑剤、埃の粒子、および細菌は、周辺領域１７からクリーンルーム３内に侵入することができない。同様に、圧力が、クリーンルーム３から周辺領域１７に逃れることはない。
【００２６】
固定子７は、軸線Ａに関する上下動用磁界および回転用磁界を生成するように、設計されている。このために、固定子７は、周方向において、および、軸線Ａに沿って様々な方向性および強度を有する磁界を生成することができる複数の電磁石を有する。磁界分布は、電磁石の制御システム（ここでは、図示せず）によって、制御される。別の言い方をすると、例えば、３つの電磁石が、周方向（軸線Ａに対して垂直な領域）に配置され、９つの電磁石が、軸線Ａに沿った領域に縦方向に配置される。したがって、この例における固定子７は、合計で３×９＝２７の電磁石を備える。このようにして、回転子６の所望の運動、したがって、閉鎖ヘッド４の所望の運動を実行するために、上下動用磁界または回転用磁界を生成することができる。
【００２７】
回転子６は、クリーンルーム仕切り要素９内に配置されている。回転子６は、この場合、回転子６を破壊的な洗浄剤から保護するために、溶接された液密シェルによって、包まれるか、または、囲まれている。また、回転子６は、固定子７および軸線Ａに対して回転し、変位可能であるように、配置されている。回転子６が、固定子７の磁界の領域内に常に位置するようにするために、固定子７は、軸線Ａの方向に関して、回転子６よりも長く設計されている。複数の永久磁石８が、回転子６に配置されている。永久磁石は、周方向において変化する極性を有する。この結果、軸線Ａに対する回転子６の位置は、固定子７に印加される磁界によって、制御することができ、これにより、閉鎖ヘッド４は、所望の回転または上昇運動もしくは下降運動を行うことができる。回転子６は、電力供給の不具合の場合に落下するのを防止するために、（図示されていない）取付装置によって取り付けられている。
【００２８】
このように、図１に示されている閉鎖装置では、クリーンルーム３内の閉鎖ヘッド４に対して駆動ユニットの力を加えるために、さらなる磁気結合器は必要ない。したがって、電気モータ５は、より小さな慣性質量体を動かせば済み、これに応じて、電気モータ５の寸法をより小さくできる。また、このことは、閉鎖装置の製造に関して、これに応じた費用面での利点をもたらす。固定子７と回転子６との間に形成された、クリーンルーム３の気密的な仕切りによって、さらなる細菌または塵芥が、周辺領域１７からクリーンルーム３内に侵入することができなくなっている。このようにして、閉鎖中の、容器２内の製品の汚染を回避することができる。
【００２９】
図２は、回転子６の位置検出のための付加的なセンサ１２を有する、図１に示されている閉鎖装置１の横断面図を示している。ここでは、閉鎖装置１の構成は、センサ１２を除いて、図１の設計と同じである。ここでは、センサ１２は、電気モータ５より上方に配置されている。
【００３０】
センサ１２は、回転子６と連結された内部部品１３、および、固定子７と連結された外部部品１４を有し、この場合、第２のクリーンルーム仕切り要素９ｂは、内部部品１３と外部部品１４との間に配置されており、詳細には、回転子６と固定子７との間の第１のクリーンルーム仕切り要素９ａと直接連結されている。別の言い方をすると、電気モータ５およびセンサ１２に関する、２つのクリーンルーム仕切り要素９ａおよび９ｂは、一体的に形成されている。この結果、センサ１２の領域でも、周辺領域１７からのクリーンルーム３の気密的な仕切りが実現されており、ここでは、いかなる塵芥および／または細菌も、周辺領域１７からクリーンルーム３内に侵入することはできなくなっている。さらに、いかなる圧力補正も、クリーンルーム３と周辺領域１７との間では発生し得ない。
【００３１】
ここでは、内部部品１３に、様々な磁極性を有する複数の磁性走査部材１５が配置されており、このことは、軸線に関する周方向および縦方向の双方に当てはまる。ここでは、外部部品１４は、複数のセンサ素子を有し、これらのセンサ素子によって、軸線Ａに関して、Ｚ方向における正確な縦位置、および、回転子６の正確な周方向角度位置を検出することができる。センサ素子は、ここでは、ホールセンサとして実現されており、これにより、磁性走査部材１５の位置を検出する。
【００３２】
センサ１２は、制御システム（ここでは、図示せず）に対して信号を出し、これによって、制御システムは、回転子６の位置データを正確に計算する。次に、制御ループ（例えば、ＰＩＤ制御に関する）によって、固定子７の磁界は、回転子６の所望の運動、したがって、閉鎖ヘッド４の所望の運動が行われるように、調節される。同時に、開ループ制御システムは、中央閉ループ制御システム（ここでは、図示せず）から、閉鎖ヘッド４の軌道に関する命令を受信する。
【００３３】
図２に示されているセンサを伴う構成によって、閉鎖ヘッド４の運動は、図１に示されている実施形態よりもさらに正確に制御することができる。
【００３４】
図３は、２つの固定子７ａ、７ｂを有する閉鎖装置１の横断面図を示している。ここでは、回転子６のための上下動用磁界は、第１の固定子７ａによって生成され、回転用磁界は、第２の固定子７ｂによって生成される。
【００３５】
図３の回転子６が、軸線Ａを中心に回転対称な中空の円筒形状を有することを見て取ることができる。永久磁石８は、回転子６の上端に配置されている。固定子７ａを用いて、永久磁石８に対して力を加えることができ、これにより、回転子６は、軸線Ａに沿って上下に運動する。さらに、第２の固定子７ｂによって回転子６に対して力を加えることができ、これにより、回転子６は、軸線Ａを中心に回転する。また、代わりに、外側に配置された第１の固定子７ａが、回転用磁界を生成してもよく、また、内側に配置された第２の固定子７ｂが、上下動用磁界を生成してもよい。
【００３６】
２つの固定子７ａおよび７ｂ間には、クリーンルーム仕切り要素９ｃ、９ｄが配置されている。ここでは、部品９ｃは、第１の固定子７ａと回転子６との間に配置されており、部品９ｄは、第２の固定子７ｂと回転子６との間に配置されている。クリーンルーム仕切り要素の２つの部品９ｃおよび９ｄは、同心上の円筒として形成されており、これらの円筒は、上面および底面において、クリーンルーム３が周辺領域１７から気密的に仕切られるように、平面的な部品によって互いに連結されている。この結果、いかなる塵芥および／または細菌も、周辺領域１７からクリーンルーム３内に侵入することができず、また、いかなる圧力も、クリーンルーム３から周辺領域１７に逃れることはできない。
【００３７】
したがって、図３に示されている構成によって、閉鎖ヘッド４が、下降・回転運動によって、閉鎖キャップ１０を容器口部２ａにねじ付け、閉鎖動作が完了した後、少なくとも上下運動によって、閉鎖キャップから再び完全に離れるように、閉鎖ヘッド４の運動は、軸部材１１を介して、回転子６の運動によって制御することができる。
【００３８】
図３の構成によって、上下動用磁界および回転用磁界を、別々に発生させることができ、したがって、制御が容易になる。
【００３９】
別の実施形態（図示せず）では、図１の電気モータ５の単純な設計が、固定子および回転子による閉鎖ヘッドの組み合わされる上下運動および回転運動のために、図３のクリーンルーム仕切り要素９ｃ，９ｄと組み合わされる。別の言い方をすると、図３に示されている実施形態において、外側の固定子７ａは、第２の固定子７ｂが、変位運動および回転運動のための上下動用磁界ならびに回転用磁界を同時に生成する場合には、省略することができる。この場合でも、回転子６は、中空の円筒として設計されており、固定子７ｂを囲んでいる。この結果、上下駆動および回転駆動を組み合わせる利点を活用することができ、この場合、さらに、クリーンルーム仕切り要素９ｃは、電気モータの機械的保護として機能する。
【００４０】
図１〜図３に示されている閉鎖装置１は、回転機械内に複数配置することができ、この場合、これらは、回転機械の周辺部に均一に分布し、回転機械に配置された容器処理空間に合わせて配置され、これにより、回転機械の連続動作が可能になる。
【００４１】
上述した実施形態において言及された特徴は、これらの特殊な組合せに制限されず、任意の他の組合せにおいても可能であることが理解されよう。
【符号の説明】
【００４２】
１…閉鎖装置、２…容器、２ａ…容器口部、３…クリーンルーム、４…閉鎖ヘッド、５…電気モータ、６…回転子、７…固定子、７ａ…固定子、７ｂ…固定子、８…永久磁石、９…クリーンルーム仕切り要素、９ａ…クリーンルーム仕切り要素、９ｂ…クリーンルーム仕切り要素、９ｃ…クリーンルーム仕切り要素、９ｄ…クリーンルーム仕切り要素、１０…閉鎖キャップ、１１…軸部材、１２…センサ、１３…内部部品、１４…外部部品、１５…磁性走査部材、１７…周辺領域、Ａ…軸線
【図１】
2013256333.tif 000003
【図２】
2013256333.tif 000004
【図３】
2013256333.tif 000005
【外国語明細書】
2013256333000001.pdf